(57)【要約】【課題】連結状態にある連結印の印面の高さを均一になるように調節することができる連結印を提供する。【解決手段】印面２ａを有する直方体形状の印判本体１と、印面２ａと直交して向かい合う一対の面の表側の表面１ａに形成された印判本体同士を連結する結合片３と、この結合片３を形成した面の裏側の表面１ｂに形成され、前記結合片３と係合する係合溝４と、印判本体１に装着される印判ホルダ２と、この印判ホルダ２の高さを調節する高さ調節機構６を備えた連結印であって、前記高さ調節機構６は、水平溝部７ａ、７ｂ、７ｃと傾斜溝部７ｄで構成される高さ調節用の横溝７を設けた調節板５と、前記横溝７に係合して横溝内を自在に摺動する突起８を設けた操作体９を有しており、前記操作体９を印判本体１の水平操作溝１０に沿って摺動させることにより前記印判ホルダ２の高さを調節可能とした。【選択図】図２
2020116801.tif 000002
【特許請求の範囲】
【請求項１】
印面を有する直方体形状の印判本体と、
印面と直交して向かい合う一対の面の表側の表面に形成された印判本体同士を連結する結合片と、この結合片を形成した面の裏側の表面に形成され、前記結合片と係合する係合溝と、
印判本体に装着される印判ホルダと、
この印判ホルダの高さを調節する高さ調節機構を備えた連結印であって、
前記高さ調節機構は、水平溝部と傾斜溝部で構成される高さ調節用の横溝を設けた調節板と、前記横溝に係合して横溝内を自在に摺動する突起を設けた操作体を有しており、
前記操作体を印判本体の水平操作溝に沿って摺動させることにより前記印判ホルダの高さを調節可能としたことを特徴とする連結印。
【請求項２】
高さ調節用の横溝は、低い位置保持用の水平溝部と高い位置保持用の水平溝部が傾斜溝部で連結されて１本の連続した溝となっている請求項１に記載の連結印。
【発明の詳細な説明】
【技術分野】
【０００１】
本発明は、連結状態にある連結印の印面の高さを均一になるように調節することができる連結印に関するものである。
【背景技術】
【０００２】
従来から、複数個の印を連結し、まとめて押印できるようにした連結印が知られている。これらの印は、印面と直交して向かい合う一対の面の表側の表面に形成された結合片と、この結合片を形成した面の裏側の表面に形成された係合溝を嵌合することによって印判本体同士を連結する構造となっている（例えば、特許文献１を参照）。
【０００３】
ところが、例えば会社の名称変更や住所変更等があった場合や、押印回数が多くなって不均一な摩耗等が生じた場合や、破損が生じた場合等には、特定の印判だけ新たに作製して交換する必要が生じる。この場合、新たに作製した印判と古い印判の印面が平坦にならずに微妙なズレを生じることがあり、印影が不均一になって明瞭さに欠けるという問題があった。この結果、連結印すべてを作り直さなければならないとう不都合が生じ、時間もかかるし経済的にも無駄であった。
【０００４】
一方、特許文献２に示されるように、回動式板カムを用いて印面の高さを調節する高さ調節機構を備えた連結印が提案されている。しかしながら、特許文献２に記載の高さ調節機構は、印具本体が最大突出位置にある場合に、強く押印してスライド体（調節板）に強い力を加えると、板カムの回転中心が偏心しているために中心より右側に上方向の力が発生し、板カムが元の位置に戻ってしまうという問題があった。また、このような不具合を防止するには別途廻り止め機構を設ける必用があるが、部品点数が増加するとともに構造も複雑化するので好ましくなかった。
【先行技術文献】
【特許文献】
【０００５】
【特許文献１】特許第３６８６０００号公報
【特許文献２】特許第４２９０５０８号公報
【発明の概要】
【発明が解決しようとする課題】
【０００６】
本発明は上記のような従来の問題点を解決して、連結印の印面が平坦にならずに微妙なズレを生じた場合にも、各印の印面の高さを調節して均一な平坦面を得ることができ、また強い力で押印しても印面の高さが変化することがなく常に明瞭な印影を得ることができ、更には簡単な構造で部品点数も少なく安価に製造することができる連結印を提供することを目的とするものである。
【課題を解決するための手段】
【０００７】
上記課題を解決するためになされた本発明の連結印は、印面と直交して向かい合う一対の面の表側の表面に形成された印判本体同士を連結する結合片と、この結合片を形成した面の裏側の表面に形成され、前記結合片と係合する係合溝と、
印判本体に装着される印判ホルダと、
この印判ホルダの高さを調節する高さ調節機構を備えた連結印であって、
前記高さ調節機構は、水平溝部と傾斜溝部で構成される高さ調節用の横溝を設けた調節板と、前記横溝に係合して横溝内を自在に摺動する突起を設けた操作体を有しており、
前記操作体を印判本体の水平操作溝に沿って摺動させることにより前記印判ホルダの高さを調節可能としたことを特徴とするものであり、これを請求項１に係る発明とする。
【０００８】
好ましい実施形態によれば、高さ調節用の横溝は、低い位置保持用の水平溝部と高い位置保持用の水平溝部が傾斜溝部で連結されて１本の連続した溝となっているものが好ましく、これを請求項２に係る発明とする。
【発明の効果】
【０００９】
請求項１に係る発明では、印面を有する直方体形状の印判本体と、印面と直交して向かい合う一対の面の表側の表面に形成された印判本体同士を連結する結合片と、この結合片を形成した面の裏側の表面に形成され、前記結合片と係合する係合溝と、印判本体に装着される印判ホルダと、この印判ホルダの高さを調節する高さ調節機構を備えた連結印であって、前記高さ調節機構は、水平溝部と傾斜溝部で構成される高さ調節用の横溝を設けた調節板と、前記横溝に係合して横溝内を自在に摺動する突起を設けた操作体を有しており、前記操作体を印判本体の水平操作溝に沿って摺動させることにより前記印判ホルダの高さを調節可能としたので、前記操作体の摺動操作により印判ホルダの高さを容易に調節できることとなる。また、操作体の突起を平溝部で受ける構造であるため強く押印しても突起が移動することがなく印面を一定の高さに維持することができる。
【００１０】
また、請求項２に係る発明では、高さ調節用の横溝は、低い位置保持用の水平溝部と高い位置保持用の水平溝部が傾斜溝部で連結されて１本の連続した溝となっているものとしたので、操作体の突起が横溝内をスムーズに摺動できることとなって優れた操作性を発揮することができる。
【図面の簡単な説明】
【００１１】
【図１】本発明の実施の形態を示す斜視図である。
【図２】（ａ）は本発明の実施の形態を示す正面図、（ｂ）は縦断面図である。
【図３】図２のＡ−Ａ断面図である。
【図４】調節板の正面図である。
【図５】調節板の斜視図である。
【図６】操作体の分解図である。
【図７】（ａ）は操作体の突起が高い位置保持用の水平溝部にある場合を示す正面図、（ｂ）は縦断面図である。
【図８】（ａ）は操作体の突起が低い位置保持用の水平溝部にある場合を示す正面図、（ｂ）は縦断面図である。
【発明を実施するための形態】
【００１２】
以下に、図面を参照しつつ本発明の好ましい実施の形態を示す。
図１は本発明の実施の形態を示す斜視図、図２（ａ）は正面図、図２（ｂ）は縦断面図、図３は図２のＡ−Ａ断面図である。
図において、１は直方体形状の印判本体、２は印判本体１に装着される印判ホルダであり、この印判ホルダ２の下面には印面２ａが位置している。図３に示されるように、前記印面２ａと直交して向かい合う一対の面の表側の表面１ａには、結合片３が突出するように取り付けられており、一方、この結合片３を形成した面の裏側の表面１ｂには係合溝４が形成されていて、前記結合片３と他の印判本体１の係合溝４を連結することにより複数の印判本体１、１を連結可能な連結印を構成している。
【００１３】
なお、図において１ｃは、前記結合片３を印判本体１から突出させるための孔部である。また、前記結合片３と調節板５（調節板５については後述する）との間には、板バネやコイルバネのような弾発部材３ａ（図３のものでは板バネ）が装着されており、前記結合片３を弾発部材３ａの弾発下において左右に摺動可能な構造となっている。これにより、常時は前記結合片３と他の印判本体１の係合溝４との連結状態が保持されており、一方、連結を解除するには結合片３を弾発に反して摺動させることで可能な構造となっている。
【００１４】
図２（ｂ）に示されるように、前記印判ホルダ２は印判本体１内に装着されており、本発明では前記印判ホルダ２の高さを調節するための高さ調節機構６を備えた構造となっている。
この高さ調節機構６は、水平溝部７ａ、７ｂ、７ｃと傾斜溝部７ｄで構成される高さ調節用の横溝７を設けた調節板５（図４〜５を参照）と、前記横溝７に係合して横溝内を自在に摺動する突起８を設けた操作体９を有している。そして、この操作体９を印判本体１の水平操作溝１０に沿って摺動させることにより前記印判ホルダ２の高さを、高い位置と、中間位置と、低い位置の３段階に調節可能な構造となっている。
【００１５】
更に説明すると、印判本体１には水平操作溝１０が形成されており、この水平操作溝１０に沿って操作体９が摺動自在に装着されている。図６に示されるように、操作体９は一対の板状片９ａ、９ｂを中央に形成された雌状凸部８ａと雄状凸部８ｂを嵌合一体化したものであり、前記雌状凸部８ａと雄状凸部８ｂの嵌合により突起８が形成されている。
また、図３に示されるように、この突起８は前記横溝７に係合されて摺動自在となっているため、操作体９を前記水平操作溝１０に沿って摺動させると、高さ調節用の横溝７の突起８との係合位置が上下に変化することとなり、結果として前記印判ホルダ２の高さを高い位置と、中間位置と、低い位置の３段階に調節できることとなる。
【００１６】
なお図示のものでは、前記の高さ調節用の横溝７は、高い位置保持用の水平溝部７ａと、中間位置保持用の水平溝部７ｂと、低い位置保持用の水平溝部７ｃが傾斜溝部７ｄで連結されて１本の連続した溝となっており、３段階の高さに位置調整が行えるようになっているが、中間位置の水平溝部を無くして２段階の高さに位置調整することや、４段階以上に高さ調整することも可能である。
【００１７】
以下に、ホルダ２の高さを、高い位置と、中間位置と、低い位置の３段階に調節する場合について説明する。
通常は、図２に示すように、操作体９が中央に位置しており、前記突起８は調節板５の横溝７の中間位置保持用の水平溝部７ｂに位置している。原則として、この位置で連結印の印面高さが揃うように設計されているが、破損等の理由で新しい印と連結する場合には、微妙に印面高さがズレる場合があり、その場合は印面高さを僅かに高くしたり低くしたりして調整することができる。
【００１８】
先ず、ホルダ２を高くして連結する他の印面と高さを合わせたい場合は、図７に示すように、操作体９を左端側に位置させる。この時、前記突起８は調節板５の横溝７の左端側に位置することとなる。この場合は、突起８の移動に伴い調節板５は傾斜溝部７ｄに沿って徐々に上昇し、最終的に突起８が高い位置保持用の水平溝部７ａ内に納まることとなり、この結果、ホルダ２は高い位置に位置決め保持されることとなる。しかも、前記突起８は水平溝部７ａと係合しているので、押印の際に垂直な荷重がかかってもズレを発生させることがなく鮮明な押印ができることとなる。
【００１９】
一方、ホルダ２を低くしたい場合は、図８に示すように、操作体９を右端側に位置させる。この時、前記突起８は調節板５の横溝７の右端側に位置することとなる。この場合は、突起８の移動に伴い調節板５は傾斜溝部７ｄに沿って徐々に下降し、最終的に突起８が低い位置保持用の水平溝部７ｃ内に納まることとなる。この結果、ホルダ２は低い位置に位置決め保持されることとなり、しかも、前記突起８は水平溝部７ｃと係合しているので、押印の際に垂直な荷重がかかってもズレを発生させることがなく鮮明な押印ができることとなる。
【００２０】
以上の説明からも明らかなように、本発明は印面を有する直方体形状の印判本体と、印面と直交して向かい合う一対の面の表側の表面に形成された印判本体同士を連結する結合片と、この結合片を形成した面の裏側の表面に形成され、前記結合片３と係合する係合溝と、印判本体に装着される印判ホルダと、この印判ホルダの高さを調節する高さ調節機構を備えた連結印であって、前記高さ調節機構は、水平溝部と傾斜溝部で構成される高さ調節用の横溝を設けた調節板と、前記横溝に係合して横溝内を自在に摺動する突起を設けた操作体を有しており、前記操作体を印判本体の水平操作溝に沿って摺動させることにより前記印判ホルダの高さを調節可能としたので、前記操作体の摺動操作により印判ホルダの高さを容易に調節して連結する他の印面と高さを合わせることができる。また、操作体の突起を平溝部で受ける構造であるため強く押印しても突起が移動することがなく印面を一定の高さに維持することが可能で、鮮明な印影を得ることができる。更には、簡単な構造で壊れにくいため安価に製造ができ、長期間使用できるという利点もある。
【符号の説明】
【００２１】
１  印判本体
１ａ  表側の表面
１ｂ  裏側の表面
１ｃ  孔部
２  印判ホルダ
２ａ  印面
３  結合片
３ａ  弾発部材
４  係合溝
５  調節板
６  高さ調節機構
７  横溝
７ａ  水平溝部
７ｂ  水平溝部
７ｃ  水平溝部
７ｄ  傾斜溝部
８  突起
８ａ  雌状凸部
８ｂ  雄状凸部
９  操作体
９ａ  板状片
９ｂ  板状片
１０  水平操作溝
【図１】
2020116801.tif 000003
【図２】
2020116801.tif 000004
【図３】
2020116801.tif 000005
【図４】
2020116801.tif 000006
【図５】
2020116801.tif 000007
【図６】
2020116801.tif 000008
【図７】
2020116801.tif 000009
【図８】
2020116801.tif 000010